(57)【特許請求の範囲】
【請求項１】
カード主体（１０）と隠蔽シール（２０）が１枚の用紙により形成され、かつ、両者は境界線（２）から分離可能に設けられ、上記カード主体（１０）は、上記境界線（２）から伸びる第１のカード基材（１１）を二つ折りに折り返して当該第１のカード基材に重合した第２のカード基材（１３）を形成し、上記第１及び第２のカード基材（１１，１３）は接着剤によって剥離不可に接着したものであり、上記隠蔽シール（２０）は、上記境界線（２）から伸びる第１のシール基材（２１）を二つ折りに折り返して当該第１のシール基材に重合した第２のシール基材（２３）を形成し、上記第１及び第２のシール基材（２１，２３）は粘着材によって剥離及び再剥離可能に接着したものであり、上記カード主体（１０）と上記隠蔽シール（２０）は折り返した自由端部分を互いに近づけて両者の隙間を小さく形成し、上記カード主体（１０）が有する第２のカード基材（１３）に個人情報記載欄（３０）を設けたものにおいて、上記カード主体（１０）の個人情報記載欄（３０）に隣接して開封確認構造（３１）を設け、該開封確認構造（３１）が、上記第２のカード基材（１３）から上記第１のカード基材（１１）に達する切込み窓穴（３２）を設けて当該切込み窓穴（３２）の内側を開封表示小片（３３）に形成し、上記開封表示小片（３３）と上記第１のカード基材（１１）との間に剥離可能で再剥離不可の擬似接着層（３４）を設け、上記切込み窓穴（３２）内における上記第２のカード基材（１３）に「開封済」の文字を表示したものであることを特徴とする隠蔽シール付きカード。
【請求項２】
請求項１に記載の隠蔽シール付きカードにおいて、開封表示小片（３３）と第１のカード基材（１１）との間に剥離可能で再剥離不可の擬似接着層（３４）に代えて剥離可能な複数の点状接着剤（３５）を設けたことを特徴とする隠蔽シール付きカード。
【発明の詳細な説明】
【技術分野】
【０００１】
本発明は、隠蔽シール付きカードに関するものである。
【背景技術】
【０００２】
郵便はがき等において、個人情報開示欄に隠蔽シールを貼付して開示された個人情報を保護することが知られている。
【０００３】
本願発明者は、特許文献１によって、郵便はがき等に記載された個人情報を隠蔽できる隠蔽ラベルを備えた隠蔽式はがきを提案している。
【特許文献１】特開２００７−２６９０００号公報
【０００４】
特許文献１に記載された発明において、提案された隠蔽式はがき１（公報記載の符号、以下同じ）は、図７から図１４（公報記載の図番号、以下同じ）に示すように、情報記入欄２１が設けられた情報記入体２０と該情報記入体２０に連接している隠蔽ラベル１０ａとを有するものであり、また、隠蔽ラベル１０ａは、図１，図２に示すように、隠蔽用基材１１と該隠蔽用基材１１の片面に設けられた粘着剤層１２ａ，１２ｂとを備えているものである。上記隠蔽用基材１１は、第１の隠蔽部１１ａと第２の隠蔽部１１ｂとを有しており、これら隠蔽部に上記粘着剤層１２ａ，１２ｂが、例えば縞状パターン（図２）に設けられ、境界Ｂ１にて折り返した時に当該粘着剤層１２ａ，１２ｂが互いに重ならないように形成されているものである。
【０００５】
提案された隠蔽式はがき１は、情報記入欄２１に必要な情報を記載した後、折り畳まれていた隠蔽用基材１１を開き、境界Ｂ２を折り目にして当該隠蔽用基材１１を上記情報記入欄２１に貼付して記載された個人情報を隠蔽する。そして、隠蔽式はがき１を受け取った受取人は、隠蔽用基材１１を剥がして個人情報を確認することができるものである。
【０００６】
ここで、受取人が隠蔽用基材１１を剥がした時点で、当該隠蔽用基材１１を情報記入体２０から切り取って廃棄してもよいが、提案された発明は、隠蔽用基材１１を再び情報記入欄２１に貼付して個人情報を保護することができるようになっている。このため、上記粘着剤層１２ａ，１２ｂの粘着剤は、剥離可能で再剥離可能な性質を有するものを使用している。
【０００７】
また、上記隠蔽式はがき１は、はがきと隠蔽用基材が一体的に形成されており、隠蔽用基材１１を情報記入欄２１に容易に貼付して個人情報を保護できると言う利点を有しているが、プリンターを使用する印刷には不向きなものであった。
【０００８】
すなわち、提案された隠蔽式はがき１は、図８に示すように、隠蔽用基材１１が第１の隠蔽部１１ａと第２の隠蔽部１１ｂとからなり、境界Ｂ１において第１の隠蔽部１１ａと第２の隠蔽部１１ｂとを折り畳んだ構造なので、当該隠蔽用基材１１は用紙２枚分の厚みとなり情報記入体２０との間に段差が生じている。そこで、プリンターを使用してはがきに印刷をすると、プリンターヘッドが第２の隠蔽部１１ｂに引っ掛かってしまい印刷不可となることがある。また、隠蔽用基材１１が上記した剥離可能で再剥離可能な粘着剤を塗布したものであって、剥離ならびに再剥離を繰り返すことができるものであるから、正規の受取人以外の者が隠蔽用基材１１を剥がして個人情報を読み取った場合でも当該部分を再び隠蔽することが可能であり、隠蔽シール本来の目的を発揮できない事態も生ずる危険がある。
【発明の開示】
【発明が解決しようとする課題】
【０００９】
本発明の課題は、隠蔽シール付き葉書で代表されるカードにおいて、プリンターの使用時にプリンターヘッドが隠蔽シール等のカード部材に引っ掛からないで印刷ができると共に、個人情報開示欄に貼付した隠蔽シールを剥がした時に、当該隠蔽シールを開封したことが表示される開封確認機能を備えた隠蔽シール付きカードを提供することである。
【課題を解決するための手段】
【００１０】
解決手段の第１は、カード主体と隠蔽シールが１枚の用紙により形成され、かつ、両者は境界線から分離可能に設けられ、上記カード主体は、上記境界線から伸びる第１のカード基材を二つ折りに折り返して当該第１のカード基材に重合した第２のカード基材を形成し、上記第１及び第２のカード基材は接着剤によって剥離不可に接着したものであり、上記隠蔽シールは、上記境界線から伸びる第１のシール基材を二つ折りに折り返して当該第１のシール基材に重合した第２のシール基材を形成し、上記第１及び第２のシール基材は粘着材によって剥離及び再剥離可能に接着したものであり、上記カード主体と上記隠蔽シールは折り返した自由端部分を互いに近づけて両者の隙間を小さく形成し、上記カード主体が有する第２のカード基材に個人情報記載欄を設けたものにおいて、上記カード主体の個人情報記載欄に隣接して開封確認構造を設け、該開封確認構造が、上記第２のカード基材から上記第１のカード基材に達する切込み窓穴を設けて当該切込み窓穴の内側を開封表示小片に形成し、上記開封表示小片と上記第１のカード基材との間に剥離可能で再剥離不可の擬似接着層を設け、上記切込み窓穴内における上記第２のカード基材に「開封済」の文字を表示したものであることを特徴とするものである。
【００１１】
解決手段の第２は、請求項１に記載の隠蔽シール付きカードにおいて、開封表示小片（３３）と第１のカード基材（１１）との間に剥離可能で再剥離不可の擬似接着層（３４）に代えて剥離可能な複数の点状接着剤（３５）を設けたことをを特徴とするものである。
【発明の効果】
【００１５】
請求項１は、カード主体と隠蔽シールとが１枚の用紙から形成され、両者はいずれも二つ折りに設けられ、カード主体は接着剤により剥離不可に接着され、隠蔽シールは粘着材により剥離及び再剥離可能に接着され、さらに、カード主体と隠蔽シールは自由端部分を限りなく近づけて両者の隙間を小さく形成したものであるから、個人情報記載欄に記載した個人情報を隠蔽シールで隠蔽できる機能を備えたカードでありながら、カード表面に段差が生じていないから、カードに文字又は地模様の印刷をプリンターで行う時に、プリンターがカードの一部に引っ掛からずに印刷できる効果を奏するものである。
また、カード主体に設けた個人情報記載欄に隣接して開封確認構造が設けられ、該開封確認構造が、第２のカード基材から第１のカード基材に達する切込み窓穴を設けて窓穴内を開封表示小片に形成し、該開封表示小片と上記第１のカード基材は剥離可能で再剥離不可に形成すると共に切込み窓穴内における第２のカード基材に「開封済」の文字を表示したものであるから、個人情報記載欄に隠蔽シールを貼付した後、これを開封すると上記開封表示小片が第２のカード基材に付着して開封されたことが示され、以後は再剥離のための接着ができないから、正規の受取人以外のものが隠蔽シールを開封することが防止できる効果を奏する。
この他、開封表示小片と第１のカード基材が、剥離可能で再剥離不可の擬似接着層を設けて接着されているから、開封表示小片を剥離する前の密着度がよいことの効果を奏するものである。
【００１６】
請求項２は、開封表示小片と第１のカード基材が、剥離可能で再剥離不可の点状接着剤を設けて接着されているから、カード基材に接着剤を塗布する工程中に開封確認構造の製造が容易となることの効果を奏する。
【発明を実施するための最良の形態】
【００２０】
第１実施例
図１から図９が第１実施例を示している。図１は本発明に係る隠蔽シール付きカードの正面図、図２は同中央縦断面図、図３は隠蔽シールを開いた状態を示す正面図、図４は隠蔽シールを情報開示欄に貼付した状態を示す正面図、図５は隠蔽シールを情報開示欄から剥がした状態を示す正面図、図６は第１実施例おける開封確認構造の変形態様を示す正面図、図７は同中央縦断面図、図８は隠蔽シール付きカードを使用する手順を示す断面図、図９は隠蔽シールを情報開示欄に貼付した状態（図４）におけるカードの表面を示す斜視図である。
【００２１】
図１から図５において、隠蔽シール付きカード１は、カード主体１０と隠蔽シール２０とが１枚の用紙により形成され、両者の境界線２にはミシン目が設けられ、カード主体１０及び隠蔽シール２０は当該境界線２から分離可能に形成されているものである。
【００２２】
上記カード主体１０は、境界線２から伸びる第１のカード基材１１を折返し線１２から上記境界線２に向って折り返して第２のカード基材１３を形成したものであり、両者は接着剤１４によって剥離不可に接着されている。また、上記隠蔽シール２０は、境界線２から伸びる第１のシール基材２１を折返し線２２から上記境界線２に向って折り返して第２のシール基材２３を形成したものであって、両者は粘着剤２４によって剥離及び再剥離可能に接着されているものである。なお、カード主体１０における第２のカード基材１３の自由端及び隠蔽シール２０の第２のシール基材２３の自由端は、互いに近づけて両者の隙間を可能な限り小さくすることにより、隠蔽シール付きカード１の表面に段差を発生させないようにしている（図２）。
【００２３】
上記隠蔽シール２０は、第１のシール基材２１及び第２のシール基材２３を二つ折りに形成して接合面に剥離及び再剥離可能な粘着剤２４を塗布したものであるから、塗布された粘着剤２４は、折り畳んだ時に互いに粘着剤同士が接着しないパターンに形成されている。図３は隠蔽シール２０に塗布した粘着剤２４の塗布パターンの一例を示しており、自由端の縁部分は、帯状に塗布した帯状粘着剤層２４ａが形成され、他の部分は、二つ折りにした時、一方の基材に塗布した粘着剤が相手方基材の粘着剤と重ならない非重合式模様となる非重合式粘着剤層２４ｂが形成されている。因みに、実施形態では、非重合式粘着剤層２４ｂが市松模様である。すなわち、帯状粘着剤層２４ａ及び非重合式粘着剤層（市松模様状粘着剤層）２４ｂは、隠蔽シール２０を折り畳んだ時に、いずれも粘着剤が塗布されていない部分に接着されるようになっている。
【００２４】
上記カード主体１０が有する第２のカード基材１３に個人情報記載欄３０が設けられており、また、該個人情報記載欄３０に隣接して開封確認構造３１が設けられている。ここで、開封確認構造３１は、第１のカード基材１１と第２のカード基材１３を折り畳んで接着した時、第２のカード基材１３から第１のカード基材１１に達する切込み窓穴３２を設けて当該切込み窓穴３２の内側に開封表示用小片３３を形成し、さらに該切込み窓穴３２内における開封表示用小片３３と第１のカード基材１１との間に、剥離可能で再剥離不可の擬似接着層３４を設けたものである。
【００２５】
本明細書において、接着した基材が「剥離及び再剥離可能に接着されている」とは、接着された部分を剥離した後に再度接着することが可能であって、接着及び剥離を繰り返して行うことができるものを言い、これに対し「剥離可能で再剥離不可に接着されている」とは、接着部分を剥離した後は再度接着することができないものを言う。
【００２６】
なお、上記切込み窓穴３２内における第２のカード基材１２に「開封済」の文字を繰り返して印刷しておき（図５）、隠蔽シール２０を剥がして開封表示用小片３３を切込み窓穴３２から除去し、個人情報記載欄３０に記載された個人情報を読み取ったことを確認するものである。なお、上記個人情報記載欄３０及び開封確認構造３１は、隠蔽シール２０を境界線２から折り返した時に当該隠蔽シール２０によって隠蔽される位置に設けることが条件であり、換言すれば、隠蔽シール２０は、境界線２から折り返した時に、上記個人情報記載欄３０及び開封確認構造３１が隠蔽できる大きさが必要である（図４）。
【００２７】
また、上記カード主体１０には、隠蔽シール２０を貼付した時に、当該隠蔽シール２０によって隠蔽されない位置に「開封確認機能付」の文字を印刷しておき、隠蔽された個人情報を読み取ったことを知らせて正規の受取人以外の者が開封することを阻止するものである。
【００２８】
図６，図７は、第１実施例における開封確認構造の変形態様を示している。開封確認構造の変形態様は、開封表示用小片３３と第１のカード基材１１との間に、剥離可能な複数の点状接着剤３５を設けたものであって、ここで接着剤は、第１及び第２のカード基材１１，１３を接着する接着剤を使用しており、その塗布作業が、当該第１及び第２のカード基材１１，１３に接着剤を塗布する塗布作業と同時に行えることの利点があり、カード製造が容易となるものである。
【００２９】
なお、開封表示用小片３３が第１のカード基材１１から剥離されても、点状接着剤３５は開封表示用小片３３に付着しているが、粘着剤は、例えば開封表示用小片３３が、長さ５０ｍｍ、幅５ｍｍ程度の場合、４ないし５箇所に点状に塗布しているので、この程度の接着剤では、隠蔽シール２０の帯状粘着剤層２４ａを開封表示用小片３３に貼着してから剥がすと、開封表示用小片３３は帯状粘着剤層２４ａして第１のカード基材１１から剥がれる。なお、第１のカード基材１１から剥離した後の開封表示用小片３３には接着材が残っているが、剥離された後は元の位置に接着する接着力がなくなっている。
【００３０】
この他、隠蔽シール２０に塗布した粘着剤２４は、自由端縁部の帯状粘着剤層２４ａの粘着剤が非重合式模様を形成する非重合式粘着剤層２４ｂの粘着剤よりも粘着力を強く形成しておくと、プリンターによる印字作業の時に隠蔽シール２０の端部が剥がれることが防止でき、また、個人情報記載欄３０及び開封確認構造３１から剥離した時に開封表示用小片３３を確実に接着できるものとなる。
【００３１】
実施形態において、隠蔽シール付きカード１は郵便葉書である。図１，図６に示す第２のカード基材１３が葉書の裏面であって通信欄となり、図２，図７に示す第１のカード基材１１が葉書の表面であって宛名記載面となり、「郵便はがき」の文字ならびに郵便番号記載欄の他に受取人の住所及び氏名等を表記する（図９参照）。また、上記第２のカード基材１３に設けた個人情報記載欄３０には、例えば、受取人が要求する個人情報として、差出人の氏名、住所、勤務先、性別、生年月日等の項目を表記する。
【００３２】
実施形態の隠蔽シール付きカード１は、カード表面に段差がなく平坦に形成されているものであるから、カードに印字する文字の他に地模様の印刷をカードの製造工程中において行う時に、プリンターヘッドが隠蔽シール２０等のカード部材に引っかからずに印刷ができるものである。なお、地模様の印刷がカードを形成する生地に予め印刷しておくことができることは勿論である。また、隠蔽シール付きカード１のカード表面が平坦に形成されていることは、上記の利点があるだけでなく、保管ならびに管理をする時にカードの山が傾斜することなく積層できるものとなる。
【００３３】
次に、隠蔽シール付きカード１の使用方法を説明する。隠蔽シール付きカード１が郵便葉書であって、例えば、葉書が入会申込書の類である場合は、図１，図６（図８Ａ）の状態で入会申込人に配布される。葉書を受け取った入会申込人（郵便差出人）は、個人情報記載欄３０に自己の氏名、住所、勤務先、性別、生年月日等を記載する。実施形態では、隠蔽シール２０に、例えば「ここからはがしてください」と言った文字を印刷して剥がす位置を明示しているので、指示された隅部から隠蔽シール２０を剥がして粘着剤２４の塗布面を露出させる（図３，図８Ｂ）。
【００３４】
次いで、隠蔽シール２０を境界線２から折り曲げて個人情報記載欄３０に貼付し、当該個人情報記載欄３０に記載された個人情報を隠蔽する。隠蔽シール２０は、個人情報記載欄３０ならびに切込み窓穴３２を覆う大きさに形成されているから、隠蔽シール２０を境界線２から折り曲げると、個人情報記載欄３０と切込み窓穴３２の双方が同時に隠蔽されるものとなる（図４，図８Ｃ）。
【００３５】
図４，図８Ｃ，図９は、いずれも個人情報記載欄３０に個人情報が記載され、隠蔽シール２０が当該個人情報記載欄３０に貼付された状態であるから、この状態で隠蔽シール付きカード１を葉書として投函することができる。
【００３６】
隠蔽シール付きカード１の受取人は、隠蔽シール２０を「ここからはがしてください」と表記された隅部から剥がして個人情報記載欄３０に記載された個人情報を読み取る。隠蔽シール２０に塗布された粘着剤２４は剥離可能なものであるから、個人情報記載欄３０に貼付された隠蔽シール２０は、カード主体１０から剥離することができ、当該個人情報記載欄３０に記載された個人情報が読み取れる（図５，図８Ｄ）。
【００３７】
また、隠蔽シール２０を個人情報記載欄３０に貼付すると、隠蔽シール２０の自由端縁に設けた帯状粘着剤層２４ａに切込み窓穴３２内の開封表示用小片３３が接着する。そこで、隠蔽シール２０を剥離すると、開封表示用小片３３が擬似接着層３４又は点状接着剤３５が剥離して当該隠蔽シール２０に付着する。隠蔽シール２０が剥離されると、図５に示すように、切込み窓穴３２内に「開封済」の文字が現れ、隠蔽シール２０を剥離して個人情報を読み取ったことが明示される。
【００３８】
前述したように、隠蔽シール２０に塗布した粘着剤２４は、剥離可能で再剥離可能なものであるから、いったんカード主体１０から剥離しても再び個人情報記載欄３０に貼付することが可能である。ただし、隠蔽シール２０に設けた帯状粘着剤層２４ａの幅と開封表示用小片３３の幅を同一に形成することにより、隠蔽シール２０をカード主体１０から剥離した後に再び個人情報記載欄３０に貼付しても、当該隠蔽シール２０は、開封表示用小片３３が接着された部分が貼付できないので、たとえ、隠蔽シール２０を個人情報記載欄３０に再度貼付した場合であっても、隠蔽シール２０の端縁が貼付できず、このため、個人情報を読み取った後の隠蔽シール付きカード１は、開封済みであって個人情報が読み取られたことが確認できるのである。
【００３９】
第２実施例
図１０から図１３が第２実施例を示している。図１０は隠蔽シール付きカードを示す正面図と断面図、図１１は隠蔽シールを開いた状態を示す正面図、図１２は隠蔽シールを情報開示欄に貼付した状態を示す正面図、図１３は隠蔽シールを情報開示欄に貼付した状態（図１２）におけるカードの表面を示す斜視図である。
【００４０】
第２実施例は、第１実施例と同じ構造を有しているので、第１実施例の説明において使用した符号に「１００」を付けて表しており、第１実施例と同じ部材については詳細な説明を省略したものがある。
【００４１】
第２実施例は、隠蔽シール１２０をカード主体１１０の縦方向の側縁に設けたものであり、個人情報記載欄１３０に個人情報を記載したのち隠蔽シール１２０を当該個人情報記載欄１３０に貼付するものであるが、隠蔽シール１２０が葉書全面を覆う大きさに形成されているので、隠蔽シール１２０によって葉書裏面の通信欄全面を隠蔽することができるものである。
【００４２】
図１０において、隠蔽シール付きカード１０１は、カード主体１１０と隠蔽シール１２０が１枚の用紙を二つ折りに形成し、カード主体１１０は接着剤により剥離不可に接着され、隠蔽シール１２０は粘着剤により剥離可能で再剥離可能に接着したものである。図１１に示すように、粘着剤１２４の塗布模様は、第１実施例と同様に、例えば、自由端の端部は帯状に、他の部分は非重合式模様に塗布している。また、カード主体１１０と隠蔽シール１２０は折り返した時にできるだけ隙間が生じないように端部を接近させておき、隠蔽シール付きカード１０１の表面に段差を発生させないようにしている（図１０Ｂ）。
【００４３】
使用方法も第１実施例の場合と同じである。個人情報記載欄１３０に個人情報を記載したのち隠蔽シール１２０を開き（図１１）、境界線１０２から隠蔽シール１２０を折り畳んで個人情報記載欄１３０に接着し、個人情報記載欄１３０に記載された個人情報を隠蔽する（図１２）。図１２及び図１３は、郵便葉書たる隠蔽シール付きカード１０１の表裏を示しており、この状態で投函可能となる。また、カードの受取人は、隠蔽シール１２０を剥がして個人情報記載欄１３０に記載された個人情報を読み取ることができる。
【００４４】
なお、第２実施例において、開封確認構造（第１実施例の３１）の説明を省略したが、第１実施例と同様な開封確認構造を設けることができることは勿論である。
【００４５】
第１及び第２実施例において、はがき本体を形成するカード主体１０，１１０は、第１のカード基材１１，１１１と第２のカード基材１３，１１３を貼り合せたものであるが、両者は剥離不可に接着されているので、はがき本体は１枚ものとして取扱われる。したがって、隠蔽シール２０，１２０を貼付した時は、隠蔽シール２０，１２０が、はがき本体（カード主体１０，１１０）の添付物となり郵便規則に合致したものとなる。
【図面の簡単な説明】
【００４６】
【図１】本発明に係る隠蔽シール付きカードの第１実施例を示す正面図。
【図２】図１における中央縦断面図。
【図３】第１実施例において隠蔽シールを開いた状態を示す正面図。
【図４】第１実施例の隠蔽シールを情報開示欄に貼付した状態を示す正面図。
【図５】第１実施例の隠蔽シールを情報開示欄から剥がした状態を示す正面図。
【図６】第１実施例おける開封確認構造の変形態様を示す正面図。
【図７】図６における中央縦断面図。
【図８】第１実施例おいて隠蔽シール付きカードを使用する手順を示す断面図。
【図９】第１実施例の隠蔽シールを情報開示欄に貼付した状態におけるカード表面を示す斜視図。
【図１０】本発明に係る隠蔽シール付きカードの第２実施例を示す正面図。
【図１１】第２実施例において隠蔽シールを開いた状態を示す正面図。
【図１２】第２実施例の隠蔽シールを情報開示欄に貼付した状態を示す正面図。
【図１３】第２実施例の隠蔽シールを情報開示欄に貼付した状態におけるカード表面を示す斜視図。
【符号の説明】
【００４７】
１  隠蔽シール付きカード
２  境界線
１０  カード主体
１１  第１のカード基材
１２  折返し線
１３  第２のカード基材
１４  接着剤
２０  隠蔽シール
２１  第１のシール基材
２２  折返し線
２３  第２のシール基材
２４  粘着剤
２４ａ  帯状粘着剤層
２４ｂ  非重合式粘着剤層（市松模様状粘着剤層）
３０  個人情報記載欄
３１  開封確認構造
３２  切込み窓穴
３３  開封表示用小片
３４  擬似接着層
３５  点状接着剤
【図１】
0005385542.tif 000002
【図２】
0005385542.tif 000003
【図３】
0005385542.tif 000004
【図４】
0005385542.tif 000005
【図５】
0005385542.tif 000006
【図６】
0005385542.tif 000007
【図７】
0005385542.tif 000008
【図８】
0005385542.tif 000009
【図９】
0005385542.tif 000010
【図１０】
0005385542.tif 000011
【図１１】
0005385542.tif 000012
【図１２】
0005385542.tif 000013
【図１３】
0005385542.tif 000014